(57)【要約】      （修正有）【課題】IOT技術に基づくリモコンロボットを提供する。【解決手段】リモコンロボットは、コンセント１００とロボットと接続する充電ヘッドを含み、コンセントの上下両側の端面右側に対応して固定ブロック３００が設置され、前記固定ブロックに固定穴３０１が設置され、前記固定穴が締付ボルトと接合し前記コンセントを壁に固定し、前記コンセントに発端が右に向かう挿し込み溝と二つの挿し込み溝の間に位置する滑り押し筐体が設置され、前記滑り押し筐体が前記挿し込み溝の間に連結する通合溝が設置され、前記通合溝が前記挿し込み溝と近隣する一端に斜角ブロックが設置される。【選択図】図５
2019169878.tif 000002
【特許請求の範囲】
【請求項１】
IOT技術に基づくリモコンロボットであって、コンセントとロボットと接続する充電ヘッドを含み、前記コンセントの上下両側の端面右側に対応して固定ブロックが設置され、前記固定ブロックに固定穴が設置され、前記固定穴が締付ボルトと接合し前記コンセントを壁に固定し、前記コンセントに発端が右に向かう挿し込み溝と二つの挿し込み溝の間に位置する滑り押し筐体が設置され、前記滑り押し筐体が前記挿し込み溝の間に連結する通合溝が設置され、前記通合溝が前記挿し込み溝と近隣する一端に斜角ブロックが設置され、前記斜角ブロックの右端面に第一斜角面が設置され、前記コンセントに発端が右に向かう二つの挿し込み溝の間に位置する第一接合溝が設置され、前記第一接合溝が前記滑り押し筐体の間に連結する通合穴が設置され、前記滑り押し筐体に左右に可動のキャリッジが取り付けられ、前記キャリッジに電機が固定的に取り付けられ、前記電機の右端に右に伸びる回転軸が動力が伝達可能なように取り付けられ、前記回転軸が前記通合穴を貫通し前記第一接合溝に設置されるスタッドと固定的に接続され、前記滑り押し筐体の右端の壁に上下に対応して発端が左に向かう商用電源と接続する送電溝が設置され、前記キャリッジの右端面に上下に対応して前記送電溝と係合する伝導ブロックが設置され、前記通合溝に左右に可動の前記キャリッジと固定的に接続するスプールが取り付けられ、前記スプールに上下に延びる転載溝が設置され、前記転載溝に転載アームが可動なように取り付けられ、前記転載アームが前記挿し込み溝に向かう一端に前記第一斜角面と係合する第二斜角面が設置され、前記転載アームが前記挿し込み溝に向かう一端に前記伝導ブロックと電気的に接続する電気接触片が固定的に取り付けられ、前記充電ヘッドに発端が左に向かう第二接合溝が設置され、前記第二接合溝に左右に可動の前記第一接合溝と係合するボトムブラケットが取り付けられ、前記ボトムブラケットの左端が第二接合溝を延出し、前記ボトムブラケットに発端が左に向かう前記スタッドと係合するねじ穴が設置され、前記充電ヘッドの左端面に上下に対応する前記挿し込み溝と係合する挿し込み軸が設置され、前記滑り押し筐体の左端壁にフルートが設置され、前記フルートの左端壁に前記キャリッジと固定的に接続する引っ張りバネが固定的に取り付けられ、前記転載溝の左右端壁に第一伝導溝が設置され、前記第一伝導溝に前記転載アームと固定的に接続する第一伝導ブロックが可動なように取り付けられ、前記第一伝導溝に前記第一伝導ブロックと相殺する第一ばねくぎが取り付けられ、第二接合溝の上下端壁に対応して第二伝導溝が設置され、前記第二伝導溝に前記ボトムブラケットと固定的に接続する第二伝導ブロックが可動なように取り付けられ、前記第二伝導溝に前記第二伝導ブロックと相殺する第二ばねくぎが取り付けられ、引っ張りバネの張力が前記第一ばねくぎの押圧力より大きいことを特徴とするIOT技術に基づくリモコンロボット。
【発明の詳細な説明】
【技術分野】
【０００１】
本発明はロボット技術分野に関し、具体的にはIOT技術に基づくリモコンロボットに関する。
【背景技術】
【０００２】
伝統的なIOTリモコンロボットは充電操作を行う時の接続安定性が悪く、さらに安全性が低く感電事故が引き起こしやすく、潜在的な危険があり改善する必要がある。
【先行技術文献】
【特許文献】
【０００３】
【特許文献１】中国特許出願公開第107705030号明細書
【発明の概要】
【発明が解決しようとする課題】
【０００４】
伝統的なIOTリモコンロボットは充電操作を行う時の接続安定性が悪く、さらに安全性が低く感電事故が引き起こしやすく、潜在的な危険があり改善する必要がある。
【課題を解決するための手段】
【０００５】
本発明に係るIOT技術に基づくリモコンロボットによれば、コンセントとロボットと接続する充電ヘッドを含み、前記コンセントの上下両側の端面右側に対応して固定ブロックが設置され、前記固定ブロックに固定穴が設置され、前記固定穴が締付ボルトと接合し前記コンセントを壁に固定し、前記コンセントに発端が右に向かう挿し込み溝と二つの挿し込み溝の間に位置する滑り押し筐体が設置され、前記滑り押し筐体が前記挿し込み溝の間に連結する通合溝が設置され、前記通合溝が前記挿し込み溝と近隣する一端に斜角ブロックが設置され、前記斜角ブロックの右端面に第一斜角面が設置され、前記コンセントに発端が右に向かう二つの挿し込み溝の間に位置する第一接合溝が設置され、前記第一接合溝が前記滑り押し筐体の間に連結する通合穴が設置され、前記滑り押し筐体に左右に可動のキャリッジが取り付けられ、前記キャリッジに電機が固定的に取り付けられ、前記電機の右端に右に伸びる回転軸が動力が伝達可能なように取り付けられ、前記回転軸が前記通合穴を貫通し前記第一接合溝に設置されるスタッドと固定的に接続され、前記滑り押し筐体の右端の壁に上下に対応して発端が左に向かう商用電源と接続する送電溝が設置され、前記キャリッジの右端面に上下に対応して前記送電溝と係合する伝導ブロックが設置され、前記通合溝に左右に可動の前記キャリッジと固定的に接続するスプールが取り付けられ、前記スプールに上下に延びる転載溝が設置され、前記転載溝に転載アームが可動なように取り付けられ、前記転載アームが前記挿し込み溝に向かう一端に前記第一斜角面と係合する第二斜角面が設置され、前記転載アームが前記挿し込み溝に向かう一端に前記伝導ブロックと電気的に接続する電気接触片が固定的に取り付けられ、前記充電ヘッドに発端が左に向かう第二接合溝が設置され、前記第二接合溝に左右に可動の前記第一接合溝と係合するボトムブラケットが取り付けられ、前記ボトムブラケットの左端が第二接合溝を延出し、前記ボトムブラケットに発端が左に向かう前記スタッドと係合するねじ穴が設置され、前記充電ヘッドの左端面に上下に対応する前記挿し込み溝と係合する挿し込み軸が設置される。
【０００６】
他の技術方案は前記滑り押し筐体の左端壁にフルートが設置され、前記フルートの左端壁に前記キャリッジと固定的に接続する引っ張りバネが固定的に取り付けられる。
【０００７】
他の技術方案は前記転載溝の左右端壁に第一伝導溝が設置され、前記第一伝導溝に前記転載アームと固定的に接続する第一伝導ブロックが可動なように取り付けられ、前記第一伝導溝に前記第一伝導ブロックと相殺する第一ばねくぎが取り付けられる。
【０００８】
他の技術方案は第二接合溝の上下端壁に対応して第二伝導溝が設置され、前記第二伝導溝に前記ボトムブラケットと固定的に接続する第二伝導ブロックが可動なように取り付けられ、前記第二伝導溝に前記第二伝導ブロックと相殺する第二ばねくぎが取り付けられる。
【０００９】
他の技術方案は引っ張りバネの張力が前記第一ばねくぎの押圧力より大きい。
【発明の効果】
【００１０】
本発明の有益な効果は、構造が簡単で、充電安全性と安定性が高い。
【図面の簡単な説明】
【００１１】
【図１】図１は本発明のIOT技術に基づくリモコンロボットの構造概略図である。
【図２】図１のコンセントの構造概略図である。
【図３】図１の充電ヘッドの構造概略図である。
【図４】図４は図２の転載アームの所の拡大構造概略図である。
【図５】図５は図２の左視図である。
【発明を実施するための形態】
【００１２】
説明しやすいため、本発明は以下の具体的な実施例と図面を交え詳しく説明する。
【００１３】
図１−図５を参照し、本発明の実施例のIOT技術に基づくリモコンロボットによって、コンセント100とロボットと接続する充電ヘッド200を含み、前記コンセント100の上下両側の端面右側に対応して固定ブロック300が設置され、前記固定ブロック300に固定穴301が設置され、前記固定穴301が締付ボルトと接合し前記コンセント100を壁に固定し、前記コンセント100に発端が右に向かう挿し込み溝101と二つの挿し込み溝101の間に位置する滑り押し筐体105が設置され、前記滑り押し筐体105が前記挿し込み溝101の間に連結する通合溝102が設置され、前記通合溝102が前記挿し込み溝101と近隣する一端に斜角ブロックが設置され、前記斜角ブロックの右端面に第一斜角面118が設置され、前記コンセント100に発端が右に向かう二つの挿し込み溝101の間に位置する第一接合溝103が設置され、前記第一接合溝103が前記滑り押し筐体105の間に連結する通合穴が設置され、前記滑り押し筐体105に左右に可動のキャリッジ111が取り付けられ、前記キャリッジ111に電機107が固定的に取り付けられ、前記電機107の右端に右に伸びる回転軸106が動力が伝達可能なように取り付けられ、前記回転軸106が前記通合穴を貫通し前記第一接合溝103に設置されるスタッド104と固定的に接続され、前記滑り押し筐体105の右端の壁に上下に対応して発端が左に向かう商用電源と接続する送電溝109が設置され、前記キャリッジ111の右端面に上下に対応して前記送電溝109と係合する伝導ブロック108が設置され、前記通合溝102に左右に可動の前記キャリッジ111と固定的に接続するスプール119が取り付けられ、前記スプール119に上下に延びる転載溝115が設置され、前記転載溝115に転載アーム110が可動なように取り付けられ、前記転載アーム110が前記挿し込み溝101に向かう一端に前記第一斜角面118と係合する第二斜角面116が設置され、前記転載アーム110が前記挿し込み溝101に向かう一端に前記伝導ブロック108と電気的に接続する電気接触片117が固定的に取り付けられ、前記充電ヘッド200に発端が左に向かう第二接合溝202が設置され、前記第二接合溝202に左右に可動の前記第一接合溝103と係合するボトムブラケット206が取り付けられ、前記ボトムブラケット206の左端が第二接合溝202を延出し、前記ボトムブラケット206に発端が左に向かう前記スタッド104と係合するねじ穴207が設置され、前記充電ヘッド200の左端面に上下に対応する前記挿し込み溝101と係合する挿し込み軸201が設置される。
【００１４】
好ましくは前記滑り押し筐体105の左端壁にフルート120が設置され、前記フルート120の左端壁に前記キャリッジ111と固定的に接続する引っ張りバネ121が固定的に取り付けられ、前記引っ張りバネ121が前記キャリッジ111を左に引っ張って前記キャリッジ111の左端面が前記滑り押し筐体105と相殺させ、前記スタッド104を前記第一接合溝103の左側に位置させる。
【００１５】
好ましくは、前記転載溝115の左右端壁に第一伝導溝112が設置され、前記第一伝導溝112に前記転載アーム110と固定的に接続する第一伝導ブロック113が可動なように取り付けられ、前記第一伝導溝112に前記第一伝導ブロック113と相殺する第一ばねくぎ114が取り付けられ、前記第一ばねくぎ114が前記第一伝導溝112を前記挿し込み溝101に押し付ける。
【００１６】
好ましくは第二接合溝202の上下端壁に対応して第二伝導溝204が設置され、前記第二伝導溝204に前記ボトムブラケット206と固定的に接続する第二伝導ブロック205が可動なように取り付けられ、前記第二伝導溝204に前記第二伝導ブロック205と相殺する第二ばねくぎ203が取り付けられ、前記第二ばねくぎ203が前記第二伝導ブロック205を左に205を押し付ける。
【００１７】
好ましくは引っ張りバネ121の張力が前記第一ばねくぎ114の押圧力より大きい。
【００１８】
本発明の有益な効果は、構造が簡単で、充電安全性と安定性が高い。
【図１】
2019169878.tif 000003
【図２】
2019169878.tif 000004
【図３】
2019169878.tif 000005
【図４】
2019169878.tif 000006
【図５】
2019169878.tif 000007